(57)【要約】【課題】  可動体の位置の検出精度を高める。【解決手段】  本発明は、遊技盤５の前面側に形成された遊技領域７において所定動作を行なう弾球遊技機の可動装置３６であって、駆動モータ５９と、駆動モータ５９の回転軸に固定され、駆動モータ５９と一体に回転可能な回転体６４と、回転体６４の中心から外れた位置に設けられ、回転体６４と一体に回転可能な係合部８８と、係合部８８が係合可能な被係合部９２が直線状に形成されていると共に被係合部９２と直交する方向に被検出部９１が直線往復動可能に設けられた動力伝達部材６５と、被検出部９１の検出信号を出力可能なように設けられたセンサ９６とを備え、係合部８８の回転角度に対する被検出部９１の直線移動距離の割合が最大となる地点におけるセンサ９６からの信号に基づき可動体６１の位置を検出可能なように構成されていることを特徴とする。【選択図】  図１６
2006167184.tif 000002
【特許請求の範囲】
【請求項１】
遊技盤の前面側に形成された遊技領域において所定の動作を行なう弾球遊技機の可動装置であって、
駆動モータと、
該駆動モータの回転軸に固定され、該駆動モータと一体に回転可能な回転体と、
該回転体の中心から外れた位置に設けられ、該回転体と一体に回転可能な係合部と、
該係合部が係合可能な被係合部が直線状に形成されていると共に該被係合部と直交する方向に被検出部が直線往復動可能に設けられた動力伝達部材と、
前記被検出部の検出信号を出力可能なように設けられたセンサと、
を備え、前記係合部の回転角度に対する前記被検出部の直線移動距離の割合が最大となる地点における前記センサからの信号に基づき前記可動体の位置を検出可能なように構成されていることを特徴とする弾球遊技機の可動装置。
【請求項２】
前記センサには、光を発する発光部と該発光部から発せられた光が入射可能な受光部とが所定距離離間して設けられており、前記被検出部は前記発光部から前記受光部への光を所定時間遮断可能な長さを有し、前記被検出部による前記光の遮断開始時または遮断終了時に前記センサから出力された信号に基づき前記可動体の位置を検出可能なように構成されている請求項１に記載の弾球遊技機の可動装置。
【請求項３】
前記動力伝達部材に前記被係合部と平行に第２の被係合部が直線状に形成されていると共に、前記可動体には前記第２の被係合部に係合可能な係合部が形成されており、前記可動体は、前記動力伝達部材の直線往復動に伴い、画像表示装置の表示部の前面側においてワイパー状に揺動可能なように構成されている請求項１又は２に記載の弾球遊技機の可動装置。
【発明の詳細な説明】
【技術分野】
【０００１】
本発明は、パチンコ遊技機に代表される弾球遊技機の遊技領域において所定の動作を行なう弾球遊技機の可動装置に関する。
【背景技術】
【０００２】
従来、パチンコ遊技機等の弾球遊技機には、遊技者に対する演出効果を高めるため、遊技領域に可動体を配設し、遊技状態に応じてその可動体に所定の動作を行わせるようにしたものがある。
【０００３】
このような弾球遊技機では、可動体の動作を制御するため、駆動源と共に可動体の位置を検出する機構を備えた可動装置を設ける必要があり、従来のこの種の可動装置は、可動体の位置検出機構として、センサが被検出部を検出する度に検出信号を出力し、可動体の位置を検出するようにした機構を備えている。（例えば、特許文献１参照）。
【特許文献１】特開平１１−２０６９８４号公報（特に、段落番号１２４の記載及び図９）
【発明の開示】
【発明が解決しようとする課題】
【０００４】
しかしながら、上記した従来の可動装置では、被検出部がセンサを通過する度に同一の検出信号が出力されるようになっていたため、可動体の位置を細かく検出することができなかった。したがって、可動体の位置の検出精度を高めることが難しく、また、極めて単純な動作をする可動体にしか適用できないといった問題があった。
【０００５】
本発明は、上記課題を解決すべくなされたものであり、可動体の位置の検出精度を高めることができ、複雑な動作をする可動体にも適用可能な弾球遊技機の可動装置を提供しようとするものである。
【課題を解決するための手段】
【０００６】
本発明は、遊技盤５の前面側に形成された遊技領域７において所定動作を行なう弾球遊技機の可動装置３６であって、駆動モータ５９と、駆動モータ５９の回転軸に固定され、駆動モータ５９と一体に回転可能な回転体６４と、回転体６４の中心から外れた位置に設けられ、回転体６４と一体に回転可能な係合部８８と、係合部８８が係合可能な被係合部９２が直線状に形成されていると共に被係合部９２と直交する方向に被検出部９１が直線往復動可能に設けられた動力伝達部材６５と、被検出部９１の検出信号を出力可能なように設けられたセンサ９６とを備え、係合部８８の回転角度に対する被検出部９１の直線移動距離の割合が最大となる地点におけるセンサ９６からの信号に基づき可動体６１の位置を検出可能なように構成されていることを特徴とする。
【０００７】
そして、好ましくは、前記センサ９６には、光を発する発光部９７と発光部９７から発せられた光が入射可能な受光部９８とが所定距離離間して設けられており、被検出部９１は発光部９７から受光部９８への光を所定時間遮断可能な長さを有し、被検出部９１による前記光の遮断開始時または遮断終了時にセンサ９６から出力された信号に基づき可動体６１の位置を検出可能なように構成されているのがよい。
【０００８】
また、動力伝達部材６５に被係合部９２と平行に第２の被係合部９３が直線状に形成されていると共に、可動体６１には第２の被係合部９３に係合可能な係合部９５が形成されており、可動体６１は、動力伝達部材６５の直線往復動に伴い、画像表示装置８の表示部９の前面側においてワイパー状に揺動可能なように構成されていてもよい。
【発明の効果】
【０００９】
本発明によれば、可動体の位置の検出精度を高めることができ、複雑な動作をする可動体にも適用することができる等種々の優れた効果を得ることができる。
【発明を実施するための最良の形態】
【００１０】
以下、図面を参照しつつ、本発明の実施の形態について説明する。なお、以下の説明では、本発明をパチンコ遊技機に適用した場合について例示して説明する。
【００１１】
先ず、図１及び図２を参照しつつ、本実施の形態に係るパチンコ遊技機の構成について説明する。ここで、図１は本実施の形態に係るパチンコ遊技機を示す正面図、図２はその背面図である。
【００１２】
このパチンコ遊技機は、外郭方形枠サイズに形成されて縦向きの固定保持枠を成す外枠１の開口前面に、外枠１に合わせて方形枠サイズに形成された開閉搭載用の前枠２が、外枠１の正面左側上下に取り付けられたヒンジ金具３ａ，３ｂによって外枠２に対して開閉可能に取り付けられていると共に、外枠１の正面右側に設けられた施錠装置４により閉鎖状態に保持されるようになっている。
【００１３】
前枠２の上部領域には、遊技盤５が収容されており、遊技盤５は、所定板厚の積層合板の表面にセルを貼り付けてルーター加工した化粧版を基板とし、その前面側には、環状に取り付けられたガイドレール６に囲まれて、略円形状の遊技領域７が形成されている。遊技領域７には、その略中央部に画像表示装置８の表示部９が配置されており、画像表示装置８の表示部９の周りには、センター飾り１０、及び始動入賞口１１や大入賞口１２等の入賞装置等がそれぞれ配設されている。また、遊技領域７の下端部には、アウト口１３が配設されており、始動入賞口１１や大入賞口１２等の入賞装置に入賞せずに落下したアウト球を遊技盤５の背面側から機外に排出できるようになっている。
【００１４】
前枠２の前面上部側には、遊技盤５を視認可能なように透明なガラス板１４を備えたガラス扉１５が横向き開閉可能且つ着脱可能に取り付けられ、このガラス扉１５は、常には施錠装置４により遊技盤５の前面を覆うように閉鎖状態に保持されている。また、前枠２の前面下部側であって、ガラス扉１５の下方には、球皿１６が横向き開閉可能且つ着脱可能に取り付けられ、球皿１６は、常には施錠装置（図示せず）により閉鎖状態に保持されている。この球皿１６には、前面側に膨出して球貯留部１７が形成されており、遊技中に払い出される遊技球をこの球貯留部１７に貯留可能となっている。また、球貯留部１７の正面右側下部には、発射ハンドル１８が前方に突出して取り付けられており、発射ハンドル１８を回転操作することにより、球貯留部１７から供給された遊技球が遊技領域７に発射されるようになっている。
【００１５】
一方、前枠２の背面側には、裏セット盤１９が複数のレバー２０により着脱可能に設けられており、その裏セット盤１９には、予備賞球を貯留する球貯留タンク２１、遊技球を整列状態で待機させる待機通路２２、遊技盤５での入賞状態等に基づき賞球を払い出す球払出装置２３、球払出装置２３から払い出された賞球を球皿１６に排出するための球払出通路２４等の賞球装置が装備されている。
【００１６】
さらに、裏セット盤１９には、パチンコ遊技機の動作を統括的に制御する主制御装置２５、画像表示装置８の裏側に位置して画像表示、効果音等の演出、効果ランプ等の表示制御を行うサブ制御装置２６、球払出装置２３を制御する払出制御装置２７、遊技球の発射強度や発射タイミングを制御する発射用制御装置２８等の各制御手段、及びこれらの各制御手段及び電子部品に電力を供給する電源装置２９等がそれぞれ配設されている。
【００１７】
次に、図３〜図１６を参照しつつ、本実施の形態に係るパチンコ遊技機の遊技部品について説明する。なお、以下の説明では、パチンコ遊技機の遊技部品の一例としてセンター飾り１０について説明する。ここで、図３はセンター飾りを示す正面図、図４は図３のＡ−Ａ矢視図、図５はセンター飾りを示す斜視図、図６はセンター飾りを示す背面図、図７はセンター飾りの背面カバーを外した状態を示す背面図、図８はセンター飾りの可動装置を示す正面図、図９はセンター飾りの可動装置を示す背面図、図１０はセンター飾りの可動装置の内部を示す背面図、図１１は可動装置の動力伝達部材を示す正面図、図１２はセンター飾りの可動装置を示す正面側斜視図、図１３はセンター飾りの可動装置を示す背面側斜視図、図１４はセンター飾りにおける可動装置の回転体の作用を示す背面図、図１５は回転体の回転角度と動力伝達部材の直線移動距離との関係を示す図、図１６はフォトセンサの検出動作を示す図である。
【００１８】
センター飾り１０は、ベース部材３０の周縁部に設けられた所要数の取付孔３１を介して遊技盤５にネジ止めされるようになっており、中央に形成された画像表示領域透視部３２と、画像表示領域透視部３２の正面左側に形成された球誘導部３３と、画像表示領域透視部３２の下方に形成されたステージ部３４と、ステージ部３４に設けられたクルーン３５と、画像表示領域透視部３２の上方に設けられた可動装置３６とを主体に構成されている。
【００１９】
球誘導部３３には、鉛直方向に螺旋状の球流下路３７が形成されており、この球流下路３７の上部に正面左側斜め上方から入球可能なように球入口３８が設けられ、球流下路３７の正面右側下部に球出口３９が設けられている。
【００２０】
ステージ部３４には、後方から前方に向かって次第に低くなるように第１〜第３球転動路４０，４１，４２が階段状に形成されている。第１球転動路４０は、両端部及び中央部４３がそれぞれ高くなるように波形に形成され、正面左側端部に前記球出口３９が位置するようになっている。そして、第１球転動路４０の中央部４３及びその両側の最下部４４，４５には球落下案内部４６，４７，４８が前方に下傾して形成され、中央部４３及び最下部４４，４５以外の部分の前端部分には球落下防止壁４９が立設されている。また、第２球転動路４１及び第３球転動路４２はいずれも、両端部が高く、中央部５０，５１が低くなるように緩やかなＶ字状に形成されており、各中央部５０，５１には球落下案内部５２，５３が前方に下傾して形成され、それ以外の部分の前端部分にはそれぞれ球落下防止壁５４，５５が形成されている。
【００２１】
クルーン３５はステージ部３４の中央に配置されており、クルーン３５には、第１球転動路４０の中央部４３の球落下案内部４６から入球可能なように球流入部５６が形成されていると共に第２球転動路４１の中央部５０の球落下案内部５２に出球可能なように球排出部５７が形成されており、さらに、球流入部５６と球排出部５７との間には球流路５８が曲成されている。
【００２２】
可動装置３６は、駆動源の電動モータ５９と、伝達装置６０と、可動体６１と、位置検出用基板６２とから構成されており、電動モータ５９の動力が伝達装置６０を介して可動体６１に伝達され、可動体６１は画像表示装置８の表示部９の前面側に沿ってワイパー状に揺動可能となっている。
【００２３】
伝達装置６０は、横長箱状のケース６３と、ケース６３の内部に収容された回転体６４及び動力伝達部材６５とから構成されており、ケース６３はさらに本体部材６６と蓋部材６７とにより前後に２分割可能なように形成されている。そして、本体部材６６の中央部には基板収容凹部６８が形成されており、基板収容凹部６８には固定ボス部６９と位置決めボス部７０が交互に２箇所ずつ突設されている。また、基板収容凹部６８の後面側には水平横長に被検出部案内孔７１が開口されており、被検出部案内孔７１の所定位置には上下欠込み部７２が形成されている。
【００２４】
さらに、本体部材６６には、基板収容凹部６８の正面右側前面にモータ固定部７３が形成されており、モータ固定部７３の略中央部には、電動モータ５９の回転軸が緩挿可能な通孔（図示せず）が穿設され、該通孔を挟んで対向する位置には位置決め突条部７４と取付孔７５がそれぞれ２箇所ずつ形成されている。このため、電動モータ５９は、そのモータベース７６を位置決め突条部７４に整合させ、取付孔７５にビス等の固定具を螺入することにより、モータ固定部７３に確実に固定されるようになっている。さらにまた、本体部材６６の内面側には、固定ボス部７７と位置決めボス部７８が交互に２箇所ずつ突設されている。
【００２５】
一方、蓋部材６７には、中央部に蛇行するようにスリット孔７９が形成されることにより、上下に平行を成す２本のスライドガイド片８０，８１がそれぞれ背面視で左端部及び右端部を支点に片持ち梁状に形成され、各スライドガイド片８０，８１の自由端８２，８３の前面側にはそれぞれ当接部（図示せず）が突設されている。また、各スライドガイド片８０，８１及びスリット孔７９の上下には、本体部材６６の固定ボス部７７と位置決めボス部７８に対応する位置にそれぞれ２箇所ずつ、丸孔８４が穿設されており、丸孔８４に位置決めボス部７８を嵌設し、固定ボス部７７及び丸孔８４にビス等の固定具を螺入することにより、蓋部材６７が本体部材６６に固定されるようになっている。
【００２６】
また、蓋部材６７には、背面視で左側に窓部８５が円形に開口されていると共に右側にガイド孔８６が扇状に開口されており、ガイド孔８６の半径中心部には可動体支持部８７が突設されている。
【００２７】
回転体６４は、円盤形状を成し、その前面中心には電動モータ５９の回転軸（図示せず）が固着され、回転体６４は電動モータ５９と一体に回転可能となっている。また、回転体６４の後面側には、その中心から外れた位置に円柱状の係合突部８８が突設されており、係合突部８８は回転体６４と一体に回転可能となっている。
【００２８】
動力伝達部材６５は、図１１に良く示されているように、矩形平板状を成し、その上下には本体部材６６の固定ボス部７７及び位置決めボス部７８が挿通可能なようにボス部被係合部８９，９０がそれぞれ水平帯状に開口されており、これにより、動力伝達部材６５は固定ボス部７７及び位置決めボス部７８に案内されて左右に直線往復動可能となっている。また、動力伝達部材６５の前面側には、上下のボス部被係合部８９，９０の間に被検出部９１が突設されており、この被検出部９１は横長形状を成している。さらに、動力伝達部材６５には、その正面右側に回転体６４の係合突部８８が挿通可能なように回転体被係合部９２が鉛直帯状に開口されていると共に、正面左側に可動体被係合部９３が鉛直帯状に開口されている。
【００２９】
可動体６１は、ワイパー形状を成し、その基端部９４は蓋部材６７の可動体支持部８７に枢設されており、可動体６１の基端部９４の近傍には、動力伝達部材６５の可動体被係合部９３に係合可能なように円筒状の係合軸部９５が前方に延出して形成されている。
【００３０】
位置検出用基板６２は、矩形状を成し、四隅に形成された取付孔に位置決めボス部７０を嵌設すると共に固定ボス部６９を整合させ、固定ボス部６９にビス等の固定具を螺入することにより、基板収容凹部６８内の所定位置に固定されるようになっている。そして、位置検出用基板６２にはフォトセンサ９６が取り付けられており、フォトセンサ９６は、所定距離離間して設けられた発光部９７と受光部９８とから成り、本体部分６６の上下欠込み部７２に遊嵌可能となっている。
【００３１】
次に、図１〜図７を参照しつつ、本実施の形態におけるパチンコ遊技機の動作について説明する。
【００３２】
遊技者により弾球された遊技球が遊技領域７を落下する過程において、球入口３８に入球すると、その遊技球は球流下路３７内を螺旋状に流下し、球出口３９からステージ部３４の第１球転動路４０に転がり出る。その後、前記遊技球は、第１球転動路４０を転動し、中央の球落下案内部４６から球流入部５６を通ってクルーン３６に入球するか、或いは、左右の球落下案内部４７，４８から第２球転動路４１上に落下する。
【００３３】
そして、クルーン３６に入球した遊技球は、球流路５８を通り、球排出部５７から第２球転動路４１の球落下案内部５２に落下後、さらに第３球転動路４２の球落下案内部５３に落下し、遊技領域７に排出される。一方、左右の球落下案内部４７，４８から第２球転動路４１上に落下した遊技球は、第２球転動路４１をその傾斜に従って転動し、球落下案内部５２から第３球転動路４２の球落下案内部５３に落下後、遊技領域７に排出される。
【００３４】
このような経路を通って第３球転動路４２の球落下案内部５３から遊技領域７に排出された遊技球は、球落下案内部５３が始動入賞口１１の真上に位置しているため、極めて高い確率で始動入賞口１１に入賞する。そして、遊技球が、上記した経路、或いは他の経路を通って始動入賞口１１に入賞すると、主制御装置２５は、抽選用の乱数を取得して大当りの抽選を行い、取得した乱数が大当り用の乱数か否かを判定する。その結果、この取得した乱数が大当り用の乱数であると判定された場合には、サブ制御装置２６は、その乱数の示す図柄を決定し、所要の図柄変動表示を行なった後、その決定した図柄を画像表示装置８の表示部９に停止表示させ、主制御装置２５は、遊技を通常遊技から特別遊技（大当り遊技）に移行させる。
【００３５】
このように遊技が特別遊技（大当り遊技）に突入すると、大入賞口１２が開放され、その大入賞口１２に遊技球が入賞した場合には１５球の賞球が遊技者に払い出され、大入賞口１２は、開放してから３０秒経過するか、或いは、１０球の入賞があるかのいずれかの事象が発生した場合に一旦閉鎖するが、大入賞口１２が開放している間に、遊技球が特定領域（Ｖゾーン）に入賞した場合には、大入賞口１２は再度開放される。そして、大入賞口１２が１６回開放し終えるか、或いは、大入賞口１２の開放中に前記特定領域（Ｖゾーン）への入賞がなかった場合に、特別遊技は終了する。
【００３６】
このような遊技の過程において、可動装置３６は、画像表示装置８の表示部９の表示内容に連動してワイパー状に揺動する。以下、主に図１及び図８〜図１６を参照しつつ、可動装置３６の動作について説明する。なお、以下の説明において、回転方向及び左右方向はいずれも背面側から見た方向を言うものとする。
【００３７】
可動装置３６が静止している場合、可動体６１は、上記各図に示されているように水平姿勢に保持されている。この時、回転体６４の係合突部８８は、図１４中の基準位置であるＡ地点に位置しており、この状態で、電動モータ５９が駆動されると、回転体６４は、時計回り方向に回転し、回転体６４の係合突部８８は、Ａ地点から動力伝達部材６５の回転体被係合部９２に沿って上方に移動すると共に右方向に移動する。この結果、回転体６４の回転動が直線動として動力伝達部材６５に伝達され、動力伝達部材６５は、右方向に移動する。この時、動力伝達部材６５の各ボス部被係合部８９，９０に本体部材６６の固定ボス部７７及び位置決めボス部７８が係合し、駆動伝達部材６５が、固定ボス部７７及び位置決めボス部７８に案内され、さらに、スライドガイド片８０，８１の前記当接部が動力伝達部材６５の後面側に当接するようになっているため、駆動伝達部材６５の直線移動動作は円滑に行なわれる。
【００３８】
このように動力伝達部材６５が右方向に直線動すると、可動体６１の係合軸部９５は、動力伝達部材６５の可動体被係合部９３に沿って上方に移動すると共に可動体支持部８７を支点にガイド孔８６に沿って右時計回り方向に回転する。この結果、動力伝達部材６５の直線動が回転動として可動体６１に伝達され、可動体６１は左時計回り方向に回転する。
【００３９】
図１４及び図１５から良く分かるように、回転体６４の係合突部８８が基準位置のＡ地点から１８０°回転し、Ｅ地点に到達した時に、動力伝達部材６５の左方直線移動距離Ｌが最大となり、可動体６１の揺動角度は最大となる。そして、係合突部８８がＥ地点を過ぎ、再び、Ａ地点に戻るまでは、反対に、動力伝達部材６５が左方向に直線動すると共に可動体６１が右時計回り方向に回転し、この結果、回転体６４が１回転する間に動力伝達部材６５及び可動体６１は１往復動する。
【００４０】
このように可動体６１が動作する過程において、図１４及び図１６（ａ）に示すように、回転体６４の係合突部８８が基準位置のＡ地点にある時は、被検出部９１により発光部９７から受光部９８への光が遮断され、このフォトセンサ９６のオフ状態は、回転体６４の係合突部８８が９０°回転し、Ｃ地点に到達するまで継続される。次いで、図１６（ｂ）に示すように、回転体６４の係合突部８８がＣ地点に到達すると、フォトセンサ９６は発光部９７から発せられた光が受光部９８に入射するオン状態となり、この時、オフからオンへの切り替え信号がフォトセンサ９６から出力される。
【００４１】
その後、このオン状態は、図１４及び図１６（ｃ）に示すように、回転体６４の係合突部８８が１８０°回転したＥ地点においても維持され、図１４及び図１６（ｄ）に示すように、回転体の係合突部８８が２７０°回転し、Ｇ地点に到達するまで継続される。そして、回転体６４の係合突部８８がＧ地点を通過した瞬間、被検出部９１により、再び、発光部９７から受光部９８への光が遮断され、フォトセンサ９６はオフ状態となり、この時、オンからオフへの切り替え信号がフォトセンサ９６から出力される。以降、可動装置３６が動作している間、同様のサイクルが繰り返される。
【００４２】
このように、可動体６１の位置検出動作は、フォトセンサ９６から出力された切り替え信号に基づき行なわれる。より具体的には、オフからオンへの切り替え信号がフォトセンサ９６から出力されるＣ地点を基準として、Ｃ地点より所定角度（所定ステップ）離れた地点、例えば、Ｃ地点より９０°先のＥ地点に係合突部８８が位置していることを検出し、可動体６１が最大角度揺動している状態にあることを検出したり、或いは、オンからオフへの切り替え信号がフォトセンサ９６から出力されるＧ地点を基準として、Ｇ地点より所定角度（所定ステップ）離れた地点、例えば、Ｃ地点より９０°先のＡ点に係合突部８８が位置していることを検出し、可動体６１が水平姿勢にあることを検出したりする。
【００４３】
この場合、図１５を見ればよく分かるように、回転体６４の係合突部８８の回転角度α°に対する動力伝達部材６５の直線移動距離Ｌは、係合突部８８がＣ地点及びＧ地点に位置している時に最大となるため、フォトセンサ９６が被検出部９１を検出する精度は係合突部８８がＣ地点及びＧ地点に位置している時に最も高くなる。したがって、可動体６１の位置を検出するに当り、上記したように、フォトセンサ９６によるオンオフ切り替え信号の出力位置を、係合突部８８がＣ地点及びＧ地点に位置している時に設定することにより、可動体６１の位置検出精度を高めることができる。
【００４４】
また、この場合、フォトセンサ９６は、係合突部８８がＣ地点に位置している時にオフからオンへの切り替え信号を出力し、係合突部８８がＧ地点に位置している時にオンからオフへの切り替え信号を出力し、係合突部８８がＣ地点に位置している時とＧ地点に位置している時では種類の異なる信号を出力するようになっている。したがって、本実施の形態における可動体６１の位置検出機構によれば、係合突部８８がＣ地点に位置している時とＧ地点に位置している時とを明確に区別して検出することができるため、可動体６１の位置を誤って検出するおそれがなく、可動体６１の位置検出機構の信頼性を高めることができる。
【００４５】
なお、上記した実施の形態において、可動装置３６は、センター飾り１０の画像表示領域透視部３２の上方に設けられているが、センター飾り１０の他の部分に設けられていてもよく、或いは、センター飾り１０以外の遊技部品に設けられていてもよい。
【００４６】
また、可動体６１の形状及び揺動の態様は、必ずしも、上記した実施の形態に限定されるものではなく、例えば、可動体を船の形状にし、その船が波に揺られるように構成させる等、各種変更が可能である。
【００４７】
さらに、可動体６１の動作は、必ずしも、上記したように、画像表示装置８の表示部９の表示内容に連動させる必要はなく、始動入賞口１１や大入賞口１２等の入賞装置に入賞したタイミングに合わせて揺動させる等、各種変更が可能である。
【００４８】
さらにまた、上記実施の形態においては、本発明をパチンコ遊技機に適用した場合について説明したが、これは単なる例示に過ぎず、本発明は、パチンコ遊技機以外の弾球遊技機にも適用可能であることは言う迄もない。
【図面の簡単な説明】
【００４９】
【図１】本発明の実施の形態におけるパチンコ遊技機を示す正面図である。
【図２】本発明の実施の形態におけるパチンコ遊技機を示す背面図である。
【図３】本発明の実施の形態に係るパチンコ遊技機のセンター飾りを示す正面図である。
【図４】図３のＡ−Ａ矢視図である。
【図５】本発明の実施の形態に係るパチンコ遊技機のセンター飾りを示す斜視図である。
【図６】本発明の実施の形態に係るパチンコ遊技機のセンター飾りを示す背面図である。
【図７】本発明の実施の形態に係るパチンコ遊技機のセンター飾りの背面カバーを外した状態を示す背面図である。
【図８】本発明の実施の形態に係るパチンコ遊技機のセンター飾りの可動装置を示す正面図である。
【図９】本発明の実施の形態に係るパチンコ遊技機のセンター飾りの可動装置を示す背面図である。
【図１０】本発明の実施の形態に係るパチンコ遊技機のセンター飾りにおいて可動装置の内部を示す背面図である。
【図１１】本発明の実施の形態に係るパチンコ遊技機のセンター飾りにおいて可動装置の動力伝達部材を示す正面図である。
【図１２】本発明の実施の形態に係るパチンコ遊技機のセンター飾りの可動装置を示す正面側斜視図である。
【図１３】本発明の実施の形態に係るパチンコ遊技機のセンター飾りの可動装置を示す背面側斜視図である。
【図１４】本発明の実施の形態に係るパチンコ遊技機のセンター飾りにおいて可動装置の回転体の作用を示す背面図である。
【図１５】本発明の実施の形態に係るパチンコ遊技機のセンター飾りの伝達機構において、回転体の回転角度と動力伝達部材の直線移動距離との関係を示す図である。
【図１６】本発明の実施の形態に係るパチンコ遊技機のセンター飾りの伝達機構におけるフォトセンサの検出動作を示す図であり、（ａ）は回転体が基準位置にある時、（ｂ）は回転体が基準位置から９０°回転した時、（ｃ）は回転体が基準位置から１８０°回転した時、（ｄ）は回転体が基準位置から２７０°回転した時の状態をそれぞれ示している。
【符号の説明】
【００５０】
５          遊技盤
７          遊技領域
８          画像表示装置
９          表示部
１０        センター飾り
３６        可動装置
５９        電動モータ
６０        伝達装置
６１        可動体
６４        回転体
６５        動力伝達部材
８８        係合突部
９１        被検出部
９２        回転体被係合部
９３        可動体被係合部
９５        係合軸部
９６        フォトセンサ
９７        発光部
９８        受光部
【図１】
2006167184.tif 000003
【図２】
2006167184.tif 000004
【図３】
2006167184.tif 000005
【図４】
2006167184.tif 000006
【図５】
2006167184.tif 000007
【図６】
2006167184.tif 000008
【図７】
2006167184.tif 000009
【図８】
2006167184.tif 000010
【図９】
2006167184.tif 000011
【図１０】
2006167184.tif 000012
【図１１】
2006167184.tif 000013
【図１２】
2006167184.tif 000014
【図１３】
2006167184.tif 000015
【図１４】
2006167184.tif 000016
【図１５】
2006167184.tif 000017
【図１６】
2006167184.tif 000018